(57)【特許請求の範囲】
【請求項１】
セキュアなアッセイデバイスであって、
少なくとも１つの結果を提供するアッセイまたはテストデバイスであって、少なくとも１つの対象粒子、少なくとも１つのマーカ、またはそれらの組合せに応答して光学的変化を呈する少なくとも１つの表面を備える、アッセイまたはテストデバイスと、
アッセイ膜、アッセイデバイス、またはそれらの組合せを少なくとも部分的に覆う少なくとも１つの多層コーティングであって、光学的変化、少なくとも１つの結果、またはそれらの組合せのユーザ視覚化を遮断する、または減じる、多層コーティングとを備えた、
セキュアなアッセイデバイス。
【請求項２】
少なくとも１つの対象粒子、少なくとも１つのマーカ、またはそれらの組合せは、検体、抗体、分子、ウィルス、細菌、細胞、またはそれらの組合せを含む、請求項１に記載のセキュアなアッセイデバイス。
【請求項３】
アッセイデバイスは、ラテラルフローおよび／またはバーティカルフローイムノアッセイである、請求項１に記載のセキュアなアッセイデバイス。
【請求項４】
アッセイデバイスは蛍光アッセイである、請求項１に記載のセキュアなアッセイデバイス。
【請求項５】
アッセイデバイスはマイクロ流体デバイスである、請求項１に記載のセキュアなアッセイデバイス。
【請求項６】
多層コーティングは調節可能な伝達を備える、請求項１に記載のセキュアなアッセイデバイス。
【請求項７】
多層コーティングは部分的に反射性である、請求項１に記載のセキュアなアッセイデバイス。
【請求項８】
多層コーティングは部分的に透明である、請求項１に記載のセキュアなアッセイデバイス。
【請求項９】
多層コーティングは、光偏向、波長、または強度に対してセンシティブな１つまたは複数の層をさらに備える、請求項１に記載のセキュアなアッセイデバイス。
【請求項１０】
セキュアな読取装置であって、
制御電子装置のセットと、
デジタルカメラコンポーネントと、
照明コンポーネントと、
ハウジングコンポーネントと、
少なくとも１つの結果を提供するアッセイまたはテストデバイスであって、少なくとも１つの対象粒子、少なくとも１つのマーカ、またはそれらの組合せに応答して光学的変化を呈する少なくとも１つの表面を備える、アッセイまたはテストデバイスと、
アッセイ膜、アッセイデバイス、またはそれらの組合せを少なくとも部分的に覆う少なくとも１つの多層コーティングであって、光学的変化、少なくとも１つの結果、またはそれらの組合せのユーザ視覚化を遮断する、または減じる、多層コーティングとを備えた、セキュアな読取装置。
【請求項１１】
デジタルカメラコンポーネントとは反対側からセキュアなアッセイデバイスを照明する照明コンポーネントを備えた、請求項１０に記載のセキュアな読取装置。
【請求項１２】
デジタルカメラコンポーネントと同じ側からセキュアなアッセイデバイスを照明する照明コンポーネントを備えた、請求項１０に記載のセキュアな読取装置。
【請求項１３】
セキュアなアッセイデバイス内の多層コーティングと適合する波長を用いて、セキュアなアッセイデバイスを照明する照明コンポーネントを備えた、請求項１０に記載のセキュアな読取装置。
【請求項１４】
蛍光およびアップコンバーティングフォスファベースのアッセイ内でフルオロフォアおよびアップコンバーティングフォスファを励起するために、デジタルカメラコンポーネントと同じ側からセキュアなアッセイデバイスを照明する照明コンポーネントを備えた、請求項１０に記載のセキュアな読取装置。
【請求項１５】
機密インビトロ診断テストを行う方法であって、
少なくとも１つの結果を提供するアッセイまたはテストデバイスを提供するステップであって、アッセイまたはテストデバイスは、少なくとも１つの対象粒子、少なくとも１つのマーカ、またはそれらの組合せに応答して光学的変化を呈する少なくとも１つの表面を備える、ステップと、
アッセイ膜、アッセイデバイス、またはそれらの組合せを少なくとも部分的に覆う少なくとも１つの多層コーティングを提供するステップであって、多層コーティングは、光学的変化、少なくとも１つの結果、またはそれらの組合せのユーザ視覚化を遮断する、または減じる、ステップと、
読取機器を利用して、ユーザに見えないテスト結果を得る、および、他のものにセキュアにおよび秘密裏に結果を提供するステップとを含む、
方法。
【発明の詳細な説明】
【技術分野】
【０００１】
本特許協力条約出願は、２０１６年１２月９日に出願された米国特許仮出願第６２４３２０２２号の優先権を主張する、２０１７年２月１３日に出願された米国特許出願第１５４３０６９８号の優先権を請求し、両出願とも、共同所有され、その開示は、引用によりその全体が本明細書に組み込まれる。
【０００２】
本主題の分野は、診断検査アッセイおよび関連デバイスの、およびこれらからの結果を光学的に暗号化するように少なくとも部分的に機能する、診断検査アッセイ、層状材料およびコーティング材料である。
【背景技術】
【０００３】
健康状態および疾病をテストするためのいくつかの方法があるが、一般的に、テストまたはアッセイは、医師および医療従事者によって行なわれる、および患者によって行なわれるものに分類することができる。妊娠テストの場合などの後者の場合、テスト結果は、患者によって直ぐに読み取られ、その解釈のためにオープンになる。自己検査および結果の自己評価は患者にとって便利であるが、患者の福祉または公共政策の視点から最良の方法ではないことがある。これは、癌および妊娠を含む主要な健康状態と共に、ＨＩＶおよび他のＳＴＤ（性感染症）などの感染性疾病に特に当てはまる。
【０００４】
食品検査、作物検査、獣医学的用途、薬物乱用検査、ＩＶＤ（インビトロ診断）技術を使用する生体防御用途およびイムノアッセイ（ラテラルフローテスト、フロースルーテスト、迅速診断テスト、マイクロアレイフォーマットなど）などの他のタイプのテストの場合、守秘義務の問題、誤解釈問題、または結果を隠すあるいは不正に報告するテスト対象から生じる問題により、第三者の会社または個人によって結果をレビューおよび解釈させることが有利であり得る。このような場合、テスト結果は、テスト結果の誤解または誤解釈を避けるために、第三者の個人（例えば、医療または研究室の専門家）および／または機械（例えば、読取装置）によって最初に分析および解釈される必要がある、および／または分析および解釈されることが好ましい。
【０００５】
クロマトグラフィ、蛍光、アップコンバーティングフォスファおよび発光を含む、市場における光学的出力を備えた様々なタイプのアッセイが現在ある。金、銀、炭素、ラテックスおよび他の見える粒子を使用して典型的に開発されるクロマトグラフィアッセイ、およびラベルは、色、コントラストおよび／または視覚強度の変化の形でテスト結果を表示する。まさにその本質から、これらのテストの結果は、ユーザまたはオペレータに見えるものであり、テスト結果をユーザまたは権限のないオペレータから部分的にさえ隠すための利用可能な方法は現在ない。
【０００６】
同時に、テスト結果の守秘義務およびセキュリティのこの問題に間接的に対処するためのいくつかの方法があるが、著しい欠点がある。１つのタイプのアッセイでは、ユーザは彼の／彼女の試料（例えば、血液、体液など）を使用してアッセイを活性化させ、その後、テスト結果が見えるようになる前に、活性化されたテストを医療施設（研究室、病院、医院など）または他の施設に返送する必要がある。一旦テスト結果が受け取られると、それは、視覚的に、またはその施設のデジタル機器を使用してのいずれかにより読み取られる。その後、書面による通信によって、患者または権限が与えられたユーザに結果が返される、または医療プロバイダへのフォローアップ訪問などのいくつかの他のアクションが続く。
【０００７】
これらのタイプのテストに対するいくつかの欠点がある。最初に、エンドユーザ（すなわち、患者）によるテスト活性化または試料収集と、施設によるその受け取りおよび分析との間の時間は、典型的にはかなり長い（すなわち、最大数日）。イムノアッセイテストは、長期間安定せず、反応は数時間、数日間でさえ止まらない。したがって、これらのタイプのテスト（例えば、ラテラルフローアッセイ）は、典型的には１５分未満で解釈されることになっており、そうでなければ、これらのテストは無効、不正確および非効果的となる。さらに、環境条件は、活性化されたテスト／アッセイの輸送中に正確に制御されず、アッセイ／テスト結果に潜在的に影響を与える。
【０００８】
別の間接的方法は、テストが進展するとユーザに見えるようになるいくつかの異なる特徴またはパターンでアッセイを構成することである。しかし、このような見える特徴の意味はユーザから隠される。これらを解釈することは、アルゴリズムを使用する読取装置がテスト結果を導き出すことを必要とする；このテスト結果は、読取装置内に隠されたままであり、施設に秘密裏に伝達される。この方法は極めてよく働くが、アッセイ内に検体毎に２つ以上の検査の特徴を組み込む必要性が大きな不利益であり、より費用のかかる開発が必要であり、普通、テスト性能における妥協につながる。
【０００９】
あるいは、セキュリティの目的で（また、より良い感度のために）、蛍光およびアップコンバーティングフォスファアッセイ技術が使用される。テスト結果は、裸眼には見えず、特別な光源（例えば、紫外線）を使用して特別な読取装置でのみ読み取ることができる。しかし、これらの蛍光ベースの技術は、限られた検査用途を提供することしかできず、蛍光ラベルは見えるマーカ（一般的に使用される金ナノ粒子など）よりかなり費用がかかる。加えて、研究開発および機器のかなり多額の先行投資が必要である。
【００１０】
発光アッセイは、視覚的に読み取られるには一般的に弱すぎて、センシティブな読取装置を必要とする光学的結果を生成する。これらのアッセイは、守秘義務要件を満たすが；まさにその本質から、限られたニッチな用途でのみ利用可能である。
【００１１】
迅速診断アッセイまたはテスト（ＲＤＴ）は、世界的に一連の治療において重要および増大する役割を果たす。医院、病院、都会および遠隔クリニックでの治療地点で、または救急救命士によってのいずれかで投与され、即時の結果を提供し、これらの検査は、改良されたアクセス、より低い費用、およびより優れた品質の医療に貢献する。増加する数のＲＤＴは、急性および慢性症状のテストのために、患者および一般人によって家庭での使用に利用可能である。ＲＤＴに使用される主要な技術は、ラテラルフローイムノクロマトグラフィ分析（ＬＦＩ）であり、その後に、ラテラルフローイムノ蛍光分析が続く。ＬＦＩテストおよびサービスの世界的年間値は、ＢＣＣ  Ｒｅｓｅａｒｃｈによると１８０億ドルである。ＲＤＴは、フロースルーおよびディップスティックテストなどのイムノアッセイの他の変更形態と、他の化学または生化学方法でも利用可能である。実際、本明細書で説明される企図されている実施形態は、動作の機構として光学的特性の変化を使用していかなるＲＤＴにも適用可能である。全てのＲＤＴは、試料内の検体と相互作用する活性部分、および周囲の構造を、典型的には含み；共に、患者またはユーザによる処理に適切なアッセイデバイスを形成する。
【発明の概要】
【発明が解決しようとする課題】
【００１２】
この目的のため、および守秘義務およびセキュリティの目的を達成するために、エンドユーザまたはオペレータがテスト結果を視覚的に解釈することを難しく簡単でなくするが、専用読取機器が結果を検査施設または行政団体にセキュアに伝達することを必要とするアッセイデバイスを生成および利用することが望ましい。また、いかなるソリューションも、費用効果がよくおよび信頼性があること；最小の適合で既存のアッセイ技術の大部分に適用可能であることを保証することが望ましい。
【課題を解決するための手段】
【００１３】
セキュアなアッセイデバイスが本明細書に開示され、それは：少なくとも１つの結果を提供するアッセイまたはテストデバイスであって、少なくとも１つの対象粒子、少なくとも１つのマーカ、またはそれらの組合せに応答して光学的変化を呈する少なくとも１つの表面と；アッセイ膜、アッセイデバイスまたはそれらの組合せを少なくとも部分的に覆う少なくとも１つの多層コーティングであって、光学的変化、少なくとも１つの結果、またはそれらの組合せのユーザ視覚化を遮断する、または減じる、多層コーティングとを備える、アッセイまたはテストデバイスを提供する。
【００１４】
セキュアな読取装置は：制御電子装置のセットと、デジタルカメラコンポーネントと、照明コンポーネントと、ハウジングコンポーネントと、少なくとも１つの結果を提供するアッセイまたはテストデバイスであって、少なくとも１つの対象粒子、少なくとも１つのマーカ、またはそれらの組合せに応答して光学的変化を呈する少なくとも１つの表面を備えるアッセイまたはテストデバイスと、アッセイ膜、アッセイデバイス、またはそれらの組合せを少なくとも部分的に覆う少なくとも１つの多層コーティングであって、光学的変化、少なくとも１つの結果、またはそれらの組合せのユーザ視覚化を遮断する、または減じる、多層コーティングとを備える。
【００１５】
機密インビトロ診断テストを提供する方法は：少なくとも１つの結果を提供するアッセイまたはテストデバイスを提供するステップであって、アッセイまたはテストデバイスが、少なくとも１つの対象粒子、少なくとも１つのマーカ、またはそれらの組合せに応答して光学的変化を呈する少なくとも１つの表面を備える、ステップと；アッセイ膜、アッセイデバイス、またはそれらの組合せを少なくとも部分的に覆う少なくとも１つの多層コーティングを提供するステップであって、多層コーティングが、光学的変化、少なくとも１つの結果、またはそれらの組合せのユーザ視覚化を遮断する、または減じる、ステップと；読取機器を利用して、ユーザに見えないテスト結果を得る、および、他のものにセキュアにおよび秘密裏に結果を提供するステップとを含む。
【図面の簡単な説明】
【００１６】
【図１】企図されている実施形態のコーティング方式を示す。
【図２】企図されている実施形態のアッセイデバイス方式を示す。
【図３】企図されている実施形態の読取装置システムを示す。
【図４】読取装置システムの実施形態を示す。
【図５】企図されている方法を示す。
【図６】従来のアッセイまたはテストと比較したセキュアなアッセイを示す。
【図７】別の企図されている方法を示す。
【発明を実施するための形態】
【００１７】
インビトロ診断アッセイデバイスおよび報告機器でもありえる、アッセイデバイスが開発され、本明細書に説明されており、それは、迅速診断デバイス、アッセイ膜、および、テスト結果が第三者の医師、医療提供者またはレビューアーによってセキュアにおよび正確にレビューされるのを可能にするコーティング材料を有する。いくつかの実施形態では、企図されているテスト結果は加えて暗号化することができ、それによって、結果をレビューおよび解釈することができるまで、患者および一般人が保護される。本明細書に開示されたソリューションは、費用効率がよいのみならず信頼性もある。最後に、いくつかの例では、記録管理または書類作製のためにそのオプションが望ましい場合、結果は検査施設または行政団体に伝達されることができる、あるいは自動的に伝達されることができる。
【００１８】
既存の技術およびプロトコルとは異なり、企図されている実施形態は、市販されている、または開発中であるいかなるアッセイにも容易に適用することができる。アッセイ製造者および開発者は、企図されている実施形態でその技術を改良することができる。プラスチック層が、汚染を防ぐために当業界で既に幅広く使用され、これらの層を企図されているコーティングまたは層、または多層状コーティング層に置き換えることができる。したがって、検査あたりの企図されている実施形態の費用は、ゼロではないとしても、アッセイ製造者、アッセイを使用する人、および読取装置設計にアッセイを組み込む人に対して極めて低い。
【００１９】
特に、セキュアなアッセイデバイスが本明細書に開示され、それは：少なくとも１つの結果を提供するアッセイまたはテストデバイスであって、少なくとも１つの対象粒子、少なくとも１つのマーカ、またはそれらの組合せに応答して光学的変化を呈する少なくとも１つの表面と、アッセイ膜、アッセイデバイス、またはそれらの組合せを少なくとも部分的に覆う少なくとも１つの多層コーティングであって、光学的変化、少なくとも１つの結果、またはそれらの組合せのユーザ視覚化を遮断する、または減じる、多層コーティングとを備える、アッセイまたはテストデバイスを提供する。
【００２０】
本明細書に使用されるように、「光学的変化」という表現は、物理的変化、光学的変化、またはそれらの組合せがあることを意味し、観察者、ユーザ、または結果を分析するために使用されるデバイスは、表面または表面の特性の変化を検出する。
【００２１】
企図されている実施形態では、少なくとも１つの対象粒子、少なくとも１つのマーカ、またはそれらの組合せは、検体、抗体、分子、ウィルス、細菌、細胞、またはそれらの組合せを含む。
【００２２】
セキュアな読取装置は：制御電子装置のセットと、デジタルカメラコンポーネントと、照明コンポーネントと、ハウジングコンポーネントと、少なくとも１つの結果を提供するアッセイまたはテストデバイスであって、少なくとも１つの対象粒子、少なくとも１つのマーカ、またはそれらの組合せに応答して光学的変化を呈する少なくとも１つの表面を備える、アッセイまたはテストデバイスと；アッセイ膜、アッセイデバイス、またはそれらの組合せを少なくとも部分的に覆う少なくとも１つの多層コーティングであって、光学的変化、少なくとも１つの結果、またはそれらの組合せのユーザ視覚化を遮断する、または減じる、多層コーティングとを備えている。
【００２３】
機密インビトロ診断テストを行う方法は：少なくとも１つの結果を提供するアッセイまたはテストデバイスを提供するステップであって、アッセイまたはテストデバイスが、少なくとも１つの対象粒子、少なくとも１つのマーカ、またはそれらの組合せに応答して光学的変化を呈する少なくとも１つの表面を備える、ステップと；アッセイ膜、アッセイデバイス、またはそれらの組合せを少なくとも部分的に覆う少なくとも１つの多層コーティングを提供するステップであって、多層コーティングが、光学的変化、少なくとも１つの結果、またはそれらの組合せのユーザ視覚化を遮断する、または減じる、ステップと；読取機器を利用して、ユーザに見えないテスト結果を得る、および、他のものにセキュアにおよび秘密裏に結果を提供するステップとを含む。
【００２４】
企図されている実施形態では、インビトロ診断技術を使用する安全な、セキュアな、および正確な診断のための新規の光学的技術が開発された。また、イムノアッセイを分析および解釈し、テスト結果を暗号化し、第三者と自動的に共有するために、デジタル読出システムを設計した。
【００２５】
インビトロ診断またはＩＶＤ技術を使用して、安全な、センシティブな、および正確な診断を提供するために、テスト活性化（典型的には、５から２０分）直後であるが、一方で同時にはエンドユーザに結果を提供しない、既定の時間間隔後に読み出しまたはレビューが完了され得るまたは伝達されるべきである。一体化された読出機器（例えば、特別な読取装置）は、テスト結果を暗号化し、医療施設（研究室、病院、医院など）で自動的に共有することができる。
【００２６】
特に、インビトロ診断検査およびアッセイデバイス２００が開発され、図１および２に示され、それは、アッセイ膜２６０、およびアッセイ膜２６０を少なくとも部分的に覆う多層コーティング１４０を備え、１つまたは複数の多層コーティング１４０は、読出側２３０などにおける、テスト、結果、またはそれらの組合せ（図示せず）のユーザ視覚化を遮断する。いくつかの任意選択の実施形態では、アッセイ膜２６０は、外側シェル２５０内に囲まれることができる。多層コーティング１４０は、アッセイ膜の上または外側シェル２５０の上部、および任意選択で、膜２６０またはシェル２５０の底部に、コーティングまたは別個の層のいずれかとして、アッセイ膜２６０上に直接配置することができる。テスト結果の守秘義務およびセキュリティを提供する、企図されているセキュアなアッセイデバイスは、商品名ＳＥＣＡＳＳＡＹ（商標）と称され得る。企図されている実施形態では、アッセイデバイスは、蛍光アッセイ、マイクロ流体アッセイ、またはそれらの組合せであってもよい。
【００２７】
セキュアな読取装置３００がまた、図３および図４に開示および図示されており、それは：制御電子装置のセット３２０、デジタルカメラコンポーネント３３０、照明コンポーネント３５０、３６０、ハウジングコンポーネント３１０、迅速診断テストトレイ（図３には図示せず）であって、ＳＥＣＡＳＳＡＹ（商標）などの少なくとも１つの迅速診断テストまたはセキュアなアッセイデバイス１００を保持できる、トレイを備え、読取装置は２つ以上の異なる迅速診断テストに対応することができる。
【００２８】
図１および図２に示される、企図されているセキュアなアッセイデバイス１００は、テストトレイ（図示せず）に位置付けされたアッセイまたはテスト１１０、およびアッセイ１１０を少なくとも部分的に覆う多層コーティング１４０を含み、多層コーティングは、テスト、結果、またはそれらの組合せのユーザ視覚化を遮断する。関連するカメラレンズ、フィルタ、またはそれらの組合せ３４０、および制御電子装置３２０と共に、図３に３３０として示されるデジタルカメラ要素は、携帯電話、スマートフォン、デジタルカメラ、他の迅速テスト読取装置、または他の同様のデバイスの一部であってもよい。企図されている実施形態では、多層コーティング１４０は、部分的に反射性、部分的に透明、またはそれらの組合せであってもよい。いくつかの企図されている実施形態では、多層コーティング１４０は、光偏向、波長、強度、またはそれらの組合せに対してセンシティブな１つまたは複数の層をさらに備えることができる。
【００２９】
企図されている手持ち式迅速診断読取装置は、共同所有され、引用によりその全体が本明細書に組み込まれる、対応する米国特許出願第１４／３１３，６１５号に開示されたものを含む、いかなる適切な読取機器であってもよい。読取装置が適切であるかどうかに関する重要な検討事項は、前のパラグラフに説明されたような、セキュアなアッセイデバイス１００を読み取ることができるかどうかである。
【００３０】
企図されている実施形態では、前に説明されたように、セキュアなアッセイデバイスは、底部側が伝達要素の上にまたは近くに配置されるように設計されている。上部側は、テストインディケーションを含む膜の活性部が読取装置要素の視野内にあるように設計されている。本明細書に開示されるように、アッセイ膜は、調節可能な伝達を有する少なくとも１つの多層コーティングで全体的または部分的のいずれかで覆われている。コーティングされたアッセイ膜の底部側には、発光ダイオードすなわちＬＥＤなどの伝達要素がある。伝達要素は、任意選択の外側シェルに、およびこれを通して、またコーティングされたアッセイ膜を通して、光を伝達する。
【００３１】
いくつかの実施形態では、企図されているアッセイ膜は、伝達要素に面した側、および、関心のある活性領域を有する他方側を備えている。伝達要素に面した側は、伝達要素からの光またはエネルギーに最初に接触するアッセイ膜の側である。これらの実施形態では、関心のある活性領域側は、結果を受けとり、およびレビューするために、読取装置内でデジタルカメラ要素（検出器）に面するコーティングされたアッセイ膜の側である。
【００３２】
他の実施形態では、企図されているアッセイ膜は、活性側および不活性側を備え、これらは企図されているアッセイ膜の同じ表面側で互いに隣接することがある。これらの企図されているアッセイ膜の活性側は、反射または蛍光要素と相互作用し、同時に、結果を受け取る検出器に面する側である。これらの実施形態では、反射または蛍光要素は、１つの角度からまたはある期間、コーティングされたアッセイ分析膜で生じる光またはエネルギーを提供することができ、その後、検出器または読取装置は、別の角度から、または反射または蛍光要素が活性でなくなった場合に結果をレビューする。これらの実施形態では、第１の側は、反射または蛍光要素、および読取装置または検出器を含む、あるいはこれらと結合でき、第２の側は内側キャビティと接合するだけであってもよい。
【００３３】
企図されている視覚的暗号化方法、実施形態およびデバイスは、図１に示すように、アッセイ膜またはテストパッケージ全体（例えば、ラテラルフローアッセイ、バーティカルフローイムノアッセイ、フロースルーアッセイ、または他のＩＶＤテスト）を全体的に（４つ側全て）または部分的に（１つ以上の側）覆うために使用される、調節可能な伝達を備えた多層状コーティングに依存する。図１は、各側に任意選択の帯域通過フィルタおよび偏光層１２０を有するテストまたはアッセイ１１０を示しているが、それらは、１つの側にある、またはそこに全くないこともありうることを理解されたい。加えて、各側に部分的反射／部分的透明コーティング１３０があるが、それらは１つの側のみでありうることを理解されたい。企図されている反射または透明コーティングは、少なくとも１つの層、いくつかの例では、２つ以上の層を備えることができる。これらの企図されている反射または透明コーティング層自体は、多層コーティングでありうる。これらのコーティングまたは層状材料は、一方向または双方向ミラーと同様である。
【００３４】
いくつかの実施形態では、任意選択の偏光器および／または「波長」帯域通過フィルタまたは層１２０が、コーティング層として、または、コーティング層と合わせて使用されることができ、それらは、より大きな範囲で、テストおよび結果のユーザ視覚化を遮断するために、アッセイ毎に最適化することができる。
【００３５】
部分的に反射性、部分的に透明、またはそれらの組合せの層は、以下の原理を満たす限り、いかなる材料であってもよい。材料の一方の側が、照明される、またはエネルギーがその側に加えられ、他方の側は、比較的暗い、または空間に存在する明らかな光あるいはエネルギーがない場合、暗いまたは低エネルギー側から、個人による、または検出器からの観察が可能であるが、逆は当てはまらない。
【００３６】
光学的特性（反射率および透過率）は、テストタイプ、デバイスタイプ、読取装置または検出器タイプ、あるいはそれらの組合せに応じて、材料厚さまたは材料の個別層、あるいはコーティング材料の組成または濃度を変更することによって調節することができる。これらの材料は、金属（例えば、銀または金）で覆うことができ、尋問室、セキュリティ監視デッキまたはセキュリティカメラなどで幅広く使用することができる。
【００３７】
他の実施形態では、偏光器および帯域通過フィルタ層の追加の使用により、特別なレベルの守秘義務、セキュリティ、またはそれらの組合せを追加することができる。エンドユーザが強い環境光、太陽光、または他の市販の光源においてテストを読み取ろうと試みることがあるので、アッセイは、特別な偏光にセンシティブなフィルタ、帯域通過（狭いまたは広い）フィルタ、またはそれらの組合せでコーティング、または追加でコーティングされることができ、それによって、特定の偏光および波長を有する光、またはエネルギーのみがテストを通過することができる。
【００３８】
前に開示した従来の読取装置などの企図されている読取装置３００は、図３および図４に示すように、３つの照明および読出モード：蛍光３６０、反射３６０および伝達３５０を有し、これらの照明モードまたは方式の、１つまたは複数での画像の記録に基づいて働く。反射モードは、明らかに視覚的読み出しに対応し、実装するのが容易であり、比較可能な結果を提供するので、ほとんどの市販されている読取装置で使用される。各照明方式は、視覚的に符号化されるアッセイを読み取るために、照明角度、異なる偏光、波長、伝達効率および光強度にカスタマイズすることができる。このように最適化された読出システムは、復号器と同等である。カメラシステム３３０は、デジタル的に見えるようになるセキュアなアッセイ１００の画像を記録し、信号を定量化するために画像を処理することができ、テスト結果を生成する。図４では、企図されているセキュアなアッセイ２００が、参照番号３７０として示すように、伝達ＬＥＤ３５０の上部に配置される。
【００３９】
企図されているセキュアなアッセイデバイスを照明する、企図されている照明コンポーネントは、読取装置、アッセイ、またはそれらの組合せの必要性および設計に応じて、デバイスの反対側から、デジタルカメラコンポーネントから、またはデジタルカメラコンポーネントと同じ側からデバイスを照明する。照明コンポーネントがデジタルカメラコンポーネントと同じ側からアッセイデバイスを照明する実施形態では、蛍光およびアップコンバーティングフォスファベースのアッセイ内でフルオロフォアおよびアップコンバーティングフォスファを励起するためにそのようにする。企図されている読取装置は、セキュアなアッセイデバイス内の多層コーティングと適合する波長を用いて、セキュアなアッセイデバイスを照明する照明コンポーネントを備えている。
【００４０】
企図されている手法は蛍光アッセイにも適用されることができる、なぜなら、企図されている読取装置および読取装置ソリューションが軸外照明方式を利用し、（１つまたは複数の）コーティングによって反射された光がカメラに到達せず、一方で、膜は部分的に伝達された励起光で励起され、読取装置システムによって記録されることができる蛍光信号を発することができるからである。企図されている読出システム３００の実施形態が、図３に示されている。
【００４１】
図５に示すように、企図されている方法は、従来のテスト／アッセイ／デバイス１１０で開始するステップ５１０と、セキュアなアッセイ２００を作り出すために少なくとも１つの多層コーティング１４０を使用して従来のテスト／アッセイ／デバイス１１０を少なくとも部分的に覆うステップ５２０と、セキュアなアッセイ２００を読取装置システム３００に挿入するステップ５３０と、セキュアなアッセイ２００を分析するために読取装置システム３００を使用するステップ５４０と、テスト／アッセイ／デバイス結果を権限のある人または場所に送るステップ（図示せず）とを含む。図６は、テスト結果が観察者６１０に明らかである従来のアッセイ、およびテスト結果が観察者６２０に隠されている企図されている実施形態のアッセイを示す。
【００４２】
図７に示すように、また上で論じたように、機密インビトロ診断テストを提供する方法７００は：少なくとも１つの結果を提供するアッセイまたはテストデバイスを提供するステップ７１０であって、アッセイまたはテストデバイスは少なくとも１つの対象粒子、少なくとも１つのマーカまたはそれらの組合せに応答して光学的変化を呈する少なくとも１つの表面を備える、ステップと；アッセイ膜、アッセイデバイス、またはそれらの組合せを少なくとも部分的に覆う少なくとも１つの多層コーティングを提供するステップ７２０であって、多層コーティングは光学的変化、少なくとも１つの結果、またはそれらの組合せのユーザ視覚化を遮断する、または減じる、ステップと；ユーザに見えないテスト結果を得るため、および、他のものに結果をセキュアにおよび秘密裏に提供するために読取機器を利用するステップ７３０とを含む。
【００４３】
上で開示および論じるように、企図されている実施形態は、市販されているまたは開発中であるいかなるアッセイにも容易に適用することができる。アッセイ製造者および開発者は、企図されている実施形態で技術を改良することができる。プラスチック層は、汚染を防ぐために当業界で既に幅広く使われており、これらの層を企図されているコーティングまたは多層状コーティング層と置き換えることができる。したがって、検査毎の企図されている実施形態の費用は、ゼロではないとしても、アッセイ製造者、アッセイを使用する人、および読取装置設計にアッセイを組み込む人に対して極めて低い。
【００４４】
このように、特定の実施形態、診断検査デバイスに対する層状およびコーティング材料の方法が開示されている。しかし、本明細書の発明概念から逸脱することなく、既に説明したもの以外の多くのさらなる変更が可能であることが当業者には自明である。したがって、発明の主題は、本明細書の開示の趣旨を除いて制約されるものではない。さらに、明細書および特許請求の範囲を解釈する際、全ての用語は内容と一貫性のある最も範囲が広い可能な様式で解釈されるべきである。特に、「備える」および「備えている」という用語は、非排他的な様式で要素、コンポーネント、またはステップに言及していると解釈され、参照された要素、コンポーネント、またはステップは明示的には参照されない他の要素、コンポーネント、またはステップで存在する、または利用される、または組み合わせられることができることを示すものとする。
【図１】
0006841454.tif 000002
【図２】
0006841454.tif 000003
【図３】
0006841454.tif 000004
【図４】
0006841454.tif 000005
【図５】
0006841454.tif 000006
【図６】
0006841454.tif 000007
【図７】
0006841454.tif 000008